【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
流体サンプルにおいて、所定のサイズ又はサイズ範囲を実質的に有する粒子の存在を判定する方法であって、
前記サンプルに第１の波長の光を照射するステップと、
前記第１の照射を示す第１の応答信号を取得するステップと、
前記サンプルに第２の波長の光を照射するステップと、
前記第２の照射を示す第２の応答信号を取得するステップと、
前記第１及び第２の信号を比較することにより、前記サイズ又はサイズ範囲を有する粒子の存在を判定するステップとを含む方法。
【請求項２】
前記第１の信号応答が前記第２の信号応答から引かれる、請求項１に記載の方法。
【請求項３】
前記第１及び第２の信号の比が取得される、請求項１に記載の方法。
【請求項４】
前記第２の波長が、実質的に前記サイズであるか前記所定の範囲にある粒子サイズと、実質的に前記サイズでなく、前記所定の範囲にもない粒子サイズとについての応答信号を与え、前記第１の波長が、実質的に前記サイズでなく、前記所定の範囲にもない粒子サイズについての応答信号を与える、請求項２又は３に記載の方法。
【請求項５】
前記所定のサイズの粒子を検知した後、ただちに警報信号をトリガするステップをさらに含む、請求項１乃至４のいずれか一項に記載の方法。
【請求項６】
前記警報信号が、熱分解、くすぶり、及び／又は煙の事象についての警報状況を示す、請求項５に記載の方法。
【請求項７】
前記第１の波長が赤外光であり、前記第２の波長が青の光である、請求項１乃至６のいずれか一項に記載の方法。
【請求項８】
前記第１の波長の光が６５０ｎｍ〜１０５０ｎｍの範囲にあり、前記第２の波長の光が４００ｎｍ〜５００ｎｍの範囲にある、請求項１乃至７のいずれか一項に記載の方法。
【請求項９】
前記サンプルに、少なくとも１つのさらなる波長の光を照射し、前記サンプルにおいて、少なくとも１つのさらなるサイズ又は範囲又はサイズの粒子が前記さらなる波長の光に対して比較的応答性のあるステップと、
前記さらなる照射を示す、少なくとも１つのさらなる応答信号を取得するステップと、
前記第１の、第２の、及び／又はさらなる信号を比較することによって、前記さらなるサイズ又はサイズ範囲の粒子の存在を判定するステップとをさらに含む、請求項１乃至８のいずれか一項に記載の方法。
【請求項１０】
前記照射の少なくとも１つが偏光される、請求項１乃至９のいずれか一項に記載の方法。
【請求項１１】
前記照射の少なくとも１つが水平方向及び／又は垂直方向に偏光される、請求項１乃至１０のいずれか一項に記載の方法。
【請求項１２】
前記第１の照射が、水平方向に偏光された、比較的長い波長であり、前記第２の照射が、垂直方向に偏光された、比較的短い波長である、請求項１乃至１１のいずれか一項に記載の方法。
【請求項１３】
前記第１の照射が、水平方向に偏光された赤又は赤外の光であり、前記第２の照射が、垂直方向に偏光された青の波長の光である、請求項１乃至１１のいずれか一項に記載の方法。
【請求項１４】
前記第１の照射が、水平方向に偏光された赤又は赤外の光であり、前記第２の照射が、偏光されていない青の光である、請求項１乃至１１のいずれか一項に記載の方法。
【請求項１５】
流体サンプルにおいて、所定のサイズ範囲を有する粒子の存在を判定するように適合された粒子監視装置であって、
第１のサイズの粒子が比較的応答性のある波長である第１の波長の光を前記サンプルに照射する第１の照射手段と、
前記第１の照射を示す第１の信号を与える第１の信号手段と、
第２のサイズの粒子が比較的応答性のある波長である第２の波長の光を前記サンプルに照射する第２の照射手段と、
前記第２の照射を示す第２の信号を与える第２の信号手段と、
前記第１及び第２の信号を比較して、前記所定の範囲にある粒子の存在を判定する論理手段とを含む粒子監視装置。
【請求項１６】
流体サンプルにおいて、所定のサイズ範囲を有する粒子を検知するように適合された装置であって、
所定の命令セットに従って動作するように適合されたプロセッサ手段を含み、
前記命令セットとの併用で、請求項１乃至１４のいずれか一項に記載の方法を実施するように適合された装置。
【請求項１７】
粒子監視装置において利得制御を行うように適合された利得制御装置であって、
第１の増幅器を有する第１の利得段と、
第２の増幅器を有する第２の利得段と、
前記増幅器の周波数応答に影響を及ぼさない、前記第２段の出力から前記第１段の入力への電圧制御帰還又は電流制御帰還とを含む利得制御装置。
【請求項１８】
前記帰還が少なくとも光依存抵抗器を含む、請求項１７に記載の装置。
【請求項１９】
利得制御関数が非線形である、請求項１７又は１８に記載の装置。
【請求項２０】
請求項１７乃至１９のいずれか一項に記載の利得制御を含む、請求項１６に記載の装置。
【請求項２１】
請求項１７乃至１９のいずれか一項に記載の利得制御を含む、請求項１５に記載の監視装置。
【請求項２２】
粒子監視装置のサービス間隔を決定する方法であって、
煙粒子から粉塵粒子の存在を明確に決定するステップと、
前記粉塵粒子の存在の測定値を与えるステップと、
前記測定値が所定のしきい値に達した場合にサービス指示を与えるステップとを含む方法。
【請求項２３】
前記測定値が、粒子の数、頻度、濃度、及び／又は検知の継続時間である、請求項２２に記載の方法。
【請求項２４】
照射源と関連して動作することが可能な第１の絞りと、
受光セルに向かう衝突光を合焦させるように適合されたレンズと、
前記第１の絞りから直接発せられた光が前記レンズに衝突するのを実質的に防ぐように構成された主絞りとを含む粒子監視室。
【請求項２５】
照射源と関連して動作することが可能な第１のレンズと、
受光セルに向かう衝突光を合焦させるように適合されたレンズと、
前記第１のレンズから直接発せられた光が前記第２のレンズに衝突するのを実質的に防ぐように構成された主絞りとを含む粒子監視室。
【請求項２６】
照射源と、
受光セルに向かう衝突光を合焦させるように適合されたレンズと、
前記照射源から直接発せられた光が前記レンズに衝突するのを実質的に防ぐように構成された主絞りとを含む粒子監視室。
【請求項２７】
前記主絞りが、前記直接発せられた光に対する物理的障壁を形成する、請求項２４、２５、又は２６に記載の粒子監視室。
【請求項２８】
前記レンズが、前記主絞りに反射した光が前記受光セルに入るのを実質的に防ぐように、さらに構成されている、請求項２４乃至２７のいずれか一項に記載の粒子監視室。
【請求項２９】
前記レンズが両凸レンズである、請求項２４乃至２８のいずれか一項に記載の粒子監視室。
【請求項３０】
前記レンズが非球面レンズである、請求項２４乃至２８のいずれか一項に記載の粒子監視室。
【請求項３１】
前記衝突光が、前記主絞りからの反射によって発せられた２次及び／又は３次の光であり、前記衝突する２次及び／又は３次の光が前記受光器の比較的非アクティブな部分で合焦する、請求項２４乃至３０のいずれか一項に記載の粒子監視室。
【請求項３２】
請求項２４乃至３１のいずれか一項に記載の粒子監視室を含む粒子監視装置。
【請求項３３】
請求項１５、２１、又は３２のいずれか一項に記載の両凸レンズと監視装置との組み合わせ。
【請求項３４】
所定の領域を流れる流体の速度を決定する方法であって、
前記流体が流れる経路の、流体速度が比較的遅い地点に第１のセンサを設けるステップと、
前記流体が流れる前記経路の、流体速度が比較的速い地点に、前記第１のセンサと実質的に同等の温度特性を有する第２のセンサを設けるステップと、
前記第１及び第２のセンサを通過する前記流体の冷却効果の測定値に基づいて前記流体速度を決定するステップとを含む方法。
【請求項３５】
前記第１のセンサが前記流体の流れから遮蔽されている、請求項３４に記載の方法。
【請求項３６】
冷却効果の前記測定値が冷却速度に基づく、請求項３４又は３５に記載の方法。
【請求項３７】
前記領域が粒子監視装置内である、請求項３４、３５、又は３６に記載の方法。
【請求項３８】
所定の領域を流れる流体の速度を決定するように適合された装置であって、
前記流体が流れる経路の、流体速度が比較的遅い地点に設けられるように適合された第１のセンサと、
前記流体が流れる前記経路の、流体速度が比較的速い地点に設けられるように適合された第２のセンサであって、前記第１のセンサと実質的に同等の温度特性を有する第２のセンサと、
前記第１及び第２のセンサを通過する前記流体の冷却効果の測定値に基づいて前記流体速度を決定するように適合された比較器手段とを含む装置。
【請求項３９】
ダクトにハウジングを取り付ける方法であって、 
前記ハウジングに関連して少なくとも１つのタブエレメントを設けるステップと、
前記ダクトのハウジング取り付け領域の近傍に前記ハウジングを配置するステップと、
前記ハウジング取り付け領域の近傍の前記ダクトの外形にほぼ適合するように前記タブエレメントを整形するステップと、
前記タブエレメントを用いて前記ハウジングを取り付けるステップとを含む方法。
【請求項４０】
前記タブエレメントが前記ハウジングと一体化している、請求項３９に記載の方法。
【請求項４１】
ダクトに取り付けられるように適合されたハウジング機構であって、
前記ハウジングに関連付けられた少なくとも１つのタブエレメントと、
ハウジング取り付け領域の近傍の前記ダクトの外形にほぼ適合するように整形されるように適合されている前記タブエレメントとを含むハウジング機構。
【請求項４２】
前記タブが前記ハウジングと一体化している、請求項４１に記載の機構。
【請求項４３】
粒子監視装置のハウジングである、請求項４１又は４２に記載の機構。
【請求項４４】
粒子を検知するように適合された装置であって、
所定の命令セットに従って動作するように適合されたプロセッサ手段を含み、
前記命令セットとの併用で、請求項１乃至１４のいずれか一項に記載の方法を実施するように適合された装置。
【請求項４５】
データ処理システムと関連して、請求項１乃至１４のいずれか一項に従って粒子を検知するために、コンピュータで使用可能な媒体において実施されるコンピュータ可読プログラムコード及びコンピュータ可読システムコードを有する前記媒体と、 
流体内の粒子の存在を判定し、前記粒子を特徴づける、コンピュータで使用可能な前記媒体内にあるコンピュータ可読コードとを含むコンピュータプログラム製品。
【請求項４６】
流体サンプルにおいて、所定のサイズ又はサイズ範囲を有する粒子の存在を判定するように適合された粒子監視装置であって、
前記粒子を示す信号として対数尺度信号を与えるように適合された出力手段を含む粒子監視装置。
【請求項４７】
本明細書で開示されている監視装置である、請求項４６に記載の監視装置。
【請求項４８】
前記尺度信号が警報に与えられる、請求項４６に記載の監視装置。
【請求項４９】
請求項４６、４７、又は４８に記載の監視装置を含む煙検知器。
【請求項５０】
請求項１５、２１、３２、又は４６乃至４８に記載の監視装置であって、
前記監視装置がポイント検知器である監視装置。
【請求項５１】
請求項１６乃至２０、３８、又は４４に記載の装置であって、
前記装置がポイント検知器である装置。
【請求項５２】
請求項４９に記載の煙検知器であって、
前記煙検知器がポイント検知器である煙検知器。
【請求項５３】
請求項１５、２１、３２、又は４６乃至４８に記載の監視装置であって、
前記監視装置が吸気式検知器である監視装置。
【請求項５４】
請求項１６乃至２０、３８、又は４４に記載の装置であって、
前記装置が吸気式検知器である装置。
【請求項５５】
請求項４９に記載の煙検知器であって、
前記煙検知器が吸気式検知器である煙検知器
【請求項５６】
請求項１５、２１、３２、又は４６乃至４８に記載の監視装置であって、
前記監視装置が粒子監視装置である監視装置。
【請求項５７】
請求項１６乃至２０、３８、又は４４に記載の装置であって、
前記装置が粒子監視装置である装置。
【請求項５８】
請求項４９に記載の煙検知器であって、
前記煙検知器が粒子監視装置である煙検知器。
【請求項５９】
粒子監視装置のサービス間隔を決定するように適合された装置であって、
所定の命令セットに従って動作するように適合されたプロセッサ手段を含み、
前記命令セットとの併用で、請求項２２又は２３に記載の方法を実施するように適合されている装置。